(57)【要約】【課題】撮影位置の切替えを行うレンズ駆動装置において、構造の小型化、簡略化等を図りつつ、機構部分の摩耗、経時変化等を防止する。【解決手段】レンズ枠３０、レンズ枠３０を光軸方向に案内するガイドシャフト４０、固定枠１０，２０、レンズ枠３０を光軸方向に移動させて撮影位置を切替える切替機構を備えたレンズ駆動装置において、切替機構として、光軸方向と垂直な軸線Ｓ回りに回動可能に固定枠に支持された調整シャフト５０、レンズ枠３０に形成されカム部５３に当接する当接面３４ａ、当接面３４ａをカム部５３に付勢するバネ６０を採用する。これにより、調整シャフト５０を回転させるだけで撮影位置を選択的に切替えでき、又、把持部５２を掴んで回転させる際の作動範囲は小さくて済み、装置を小型化でき、摩耗、経時変化等も防止できる。【選択図】  図３
2004252230.tif 000002
【特許請求の範囲】
【請求項１】
レンズを保持するレンズ枠と、前記レンズ枠を光軸方向に案内する案内部材と、前記案内部材を保持する固定枠と、前記レンズ枠を光軸方向に移動させて複数の撮影位置に切替える切替機構と、を備えたレンズ駆動装置であって、
前記切替機構は、光軸方向と所定角度をなす軸線回りに回動可能に前記固定枠に支持されかつ光軸方向にカム作用をなすカム部をもつ調整シャフトと、前記レンズ枠に形成され光軸方向において前記カム部に当接する当接面と、前記当接面を前記カム部に付勢するバネと、を含む、ことを特徴とするレンズ駆動装置。
【請求項２】
前記固定枠は、前記レンズ枠及び前記案内部材を囲繞する筐体からなり、
前記調整シャフトは、その把持部が露出するように前記筐体の壁部に回動自在に支持され、
前記バネは、前記レンズ枠と前記筐体との間に張設されている、ことを特徴とする請求項１記載のレンズ駆動装置。
【請求項３】
前記レンズ枠の当接面は、前記レンズ枠の一部において、光軸方向に垂直な平坦面に形成され、
前記調整シャフトのカム部は、光軸方向において前記当接面と接触するカム面を画定するように形成されている、ことを特徴とする請求項１又は２に記載のレンズ駆動装置。
【請求項４】
前記カム部は、基礎円及びリフト曲面をもつ平面カムに、又は、円形輪郭面の一部をカットした略Ｄ字形状の断面をもつように、形成されている、ことを特徴とする請求項１ないし３いずれかに記載のレンズ駆動装置。
【請求項５】
前記調整シャフトは、前記固定枠の一部に係合してその回転範囲が規制される被規制部を有する、ことを特徴とする請求項１ないし４いずれかに記載のレンズ駆動装置。
【請求項６】
前記固定枠は、前記レンズ枠の後方において撮像素子を保持し、
前記調整シャフトは、前記撮像素子に対して、前記レンズ枠を近接撮影位置と他の撮影位置との二つの撮影位置に切替える、ことを特徴とする請求項１ないし５いずれかに記載のレンズ駆動装置。
【発明の詳細な説明】
【０００１】
【発明の属する技術分野】
本発明は、被写体を撮影するためのレンズを焦点が合った複数の撮影位置に切り替えることのできるレンズ駆動装置に関し、特に、近接撮影位置と他の撮影位置に選択的に切り替えることのできるレンズ駆動装置に関する。
【０００２】
【従来の技術】
近接撮影位置（マクロ撮影位置）と他の撮影位置との切り替えが可能な従来のレンズ駆動装置としては、円筒状の固定枠と、固定枠に挿入されて光軸方向に移動自在に支持されたレンズ枠、固定枠の端部に形成された鍔状の端面において、光軸方向に突出するように形成された凸部、レンズ枠に接着され固定枠の凸部と光軸方向において接触するカム面をもつ環状の調整リング、レンズ枠（すなわち調整リングのカム面）を固定枠の凸部に付勢するコイルバネ等を備え、調整リングを適宜回転させることにより、ＣＣＤの結像面に焦点が合う近接撮影位置と他の撮影位置との切り替えを行えるものが知られている（例えば、特許文献１参照）。
【０００３】
【特許文献１】
特開平１０−１７０８０９号公報
【０００４】
【発明が解決しようとする課題】
ところで、上記従来のレンズ駆動装置においては、固定枠の端面に形成された凸部が、周方向に配列された微小な畝状の突起であり、この突起に対し調整リングのカム面が接触して、レンズ枠が光軸方向に移動させられて撮影位置の切り替えが行われる構造であるため、突起そのものが摺動により生じる摩耗等により経時変化を生じ易く、又、これら突起を製造する際に寸法精度のバラツキを招き易い。
【０００５】
また、撮影位置の切り替えを行うための調整リングは、レンズ枠と一体的に光軸回りに回転するものであるため、調整リングを回転させる作動範囲において、干渉物等がないように配置される必要があり、小型化、小径化等の面では不利である。さらに、調整リングとレンズ枠（レンズ）が一体的に回転するため、レンズ枠に保持されるレンズに方向性がないように均質に加工し又組付ける必要があり、加工、組付け、品質管理等において高コスト化を招く。
【０００６】
本発明は、上記の事情に鑑みて成されたものであり、その目的とするところは、小型化、小径化、低コスト化等を図りつつ、簡略な構造にて、複数の撮影位置への切り替えが容易に行え、又、経時変化等も極力抑制でき、安定した切り替え機能が得られるレンズ駆動装置を適用することにある。
【０００７】
【課題を解決するための手段】
本発明のレンズ駆動装置は、レンズを保持するレンズ枠と、レンズ枠を光軸方向に案内する案内部材と、案内部材を保持する固定枠と、レンズ枠を光軸方向に移動させて複数の撮影位置に切替える切替機構と、を備えたレンズ駆動装置であって、上記切替機構は、光軸方向と所定角度をなす軸線回りに回動可能に固定枠に支持されかつ光軸方向にカム作用をなすカム部をもつ調整シャフトと、光軸方向においてカム部に当接するべくレンズ枠に形成された当接面と、当接面をカム部に付勢するバネと、を含む、ことを特徴としている。
この構成によれば、調整シャフトが所定の位置に回転させられると、そのカム部がバネの付勢力に抗しつつレンズ枠の当接面にカム作用を及ぼし、レンズ枠（レンズ）は案内部材により案内されて光軸方向に移動し、所定の結像面に対して焦点が合った複数の撮影位置のうち、いずれかの撮影位置に選択的に切り替えられる。
このように、調整シャフトが光軸方向に対して所定角度をなす軸線回りに回動可能なものであるため、その把持部を掴んで回転させる際の作動範囲は小さくて済み、装置を小型化、小径化できる。
【０００８】
上記構成において、固定枠はレンズ枠及び案内部材を囲繞する筐体からなり、調整シャフトはその把持部が露出するように筐体の壁部に回動自在に支持され、バネはレンズ枠と筐体との間に張設されている、構成を採用できる。
この構成によれば、レンズ枠、案内部材、把持部を除いた調整シャフトの他の部分、バネ等が全て筐体（固定枠）に囲繞されるため、装置の外周面を突出部分がないように平滑に形成でき、又、モジュール化が容易に行える。
【０００９】
上記構成において、レンズ枠の当接面は、レンズ枠の一部において、光軸方向に垂直な平坦面に形成され、調整シャフトのカム部は、光軸方向において当接面と接触するカム面を画定するように形成されている、構成を採用できる。
この構成によれば、調整シャフトのカム面（カム部）が、光軸方向においてレンズ枠の平坦面（当接面）と線接触あるいは面接触するため、接触界面に生じる応力集中等を極力防止でき、摩耗、経時変化等を極力抑制できる。また、接触力の均一化により、レンズ枠も円滑に移動して切り替え動作を確実に行うことができる。
【００１０】
上記構成において、カム部は、基礎円及びリフト曲面をもつ平面カムに、又は、円形輪郭面の一部をカットした略Ｄ字形状の断面をもつように、形成されている、構成を採用できる。
この構成によれば、調整シャフトが所定の角度位置に回転させられると、平面カムの場合リフト面に沿ったカム作用が得られ、又、略Ｄ字形状の断面をなす場合カット面と円形輪郭面との二点でのカム作用が得られる。また、いずれのカム部も、調整シャフトの端部等に容易に形成することができる。
【００１１】
上記構成において、調整シャフトは、固定枠の一部に係合してその回転範囲が規制される被規制部を有する、構成を採用できる。
この構成によれば、調整シャフトを所定角度だけ回転させると、その被規制部が固定枠の一部に係合して回転が規制されるため、切替動作が簡単に行える。
【００１２】
上記構成において、固定枠はレンズ枠の後方において撮像素子を保持し、調整シャフトは、撮像素子に対して、レンズ枠を近接撮影位置と他の撮影位置との二つの撮影位置に切替える、構成を採用できる。
この構成によれば、調整シャフトを回転させると、撮像素子の結像面に対して焦点が合った近接撮影位置（例えば、マクロ撮影位置）と他の撮影位置との二つの撮影位置のうち、いずれかの位置に容易に切り替えることができる。
【００１３】
【発明の実施の形態】
以下、本発明の実施の形態について、添付図面を参照しつつ説明する。
図１ないし図６は、本発明に係るレンズ駆動装置の一実施形態を示すものであり、図１は装置の外観斜視図、図２は装置の側面図及び内部を示す正面図、図３は装置の分解斜視図、図４は調整シャフトを示す斜視図及び断面図、図５及び図６はそれぞれの撮影位置での状態を示す装置の側断面図である。
【００１４】
このレンズ装置は、図１ないし図３に示すように、全体を囲繞する固定枠としてのケース１０及びカバー２０、レンズＧを保持するレンズ枠３０、レンズ枠３０を光軸方向Ｌに案内する案内部材としてのガイドシャフト４０、切替機構の一部をなす調整シャフト５０及びバネ６０、被写体を撮像する撮像素子としてのＣＣＤ７０等を備えている。
【００１５】
ケース１０は、図１及び図２に示すように、カバー２０と協働して筐体を画定するように矩形の箱状に形成され、その後方壁部においてＣＣＤ７０を保持し、一側の壁部１１において調整シャフト５０を回動自在に支持する軸受部１２を有する。ケース１０の内部には、図５及び図６に示すように、ガイドシャフト４０（４１，４２）を固定する嵌合部１３，１４が形成され、又、調整シャフト５０の回転範囲を規制する規制部（一部）１５が形成されている。さらに、ケース１０には、バネ６０の一端部６１を掛止する掛止部１６が形成されている。
【００１６】
カバー２０は、図１、図５、図６に示すように、ケース１０の前面を覆うように形成され、その前面略中央部にはレンズ枠３０の先端部を出没自在にする開口２１が形成され、その一側部にはケース１０の軸受部１２と相補的に連結されて調整シャフト５０を支持する軸受部２２が形成され、又、ガイドシャフト４０（４１，４２）を固定する嵌合孔２２及び嵌合部２３が形成されている。
【００１７】
ここで、カバー２０は、ケース１０に接合された後、締結ネジあるいは掛止片をもつスナップフィット結合等により固定されて、ケース１０と協働して筐体を画定し、レンズ枠３０、ガイドシャフト４０、調整シャフト５０の一部（後述する把持部５１を除いた部分）、バネ６０等を全て囲繞する。したがって、ケース１０及びカバー２０により画定される装置の外周面は、突出部分がないように平滑に形成され、それ故に、装置のモジュール化も容易に行え、種々の光学ユニットへの搭載も容易になる。
【００１８】
レンズ枠３０は、図２（ｂ）、図３、図５、図６に示すように、レンズＧを保持する円筒部３１、円筒部３１から径方向外側に伸長する連結部３２，３３、調整シャフト５０のカム部が当接する当接面３４ａを画定する当接部３４、バネ６０の他端部６２を掛止する掛止片３５等により形成されている。
【００１９】
２つの連結部３２は、ガイドシャフト４１に外嵌されて光軸方向Ｌに摺動自在に支持されている。一つの連結部３３は、Ｕ字状に形成され、ガイドシャフト４２を挟み込むように外嵌されて回転が規制されている。すなわち、レンズ枠３０は、ガイドシャフト４２により回転が規制されつつ、ガイドシャフト４１により傾きが防止されかつ光軸方向Ｌに往復動自在に案内される。
【００２０】
当接部３４は、図３、図５及び図６に示すように、調整シャフト５０のカム部５３と当接する当接面３４ａが光軸方向Ｌに垂直な平坦面となるように形成されている。このように、当接面３４ａが平坦面に形成されているため、カム部５３との接触応力が部分的に大きくなる応力集中を防止でき、それ故に、摩耗、経時変化等を極力抑制できる。
【００２１】
案内部材としてのガイドシャフト４０は、図２（ｂ）、図５、図６に示すように、円柱状の二本のガイドシャフト４１，４２からなる。ガイドシャフト４１は、ケース１０の嵌合部１３とカバー２０の嵌合孔２２に嵌合されて固定されている。ガイドシャフト４２は、ケース１０の嵌合部１４とカバー２０の嵌合部２３に嵌合されて固定されている。すなわち、ガイドシャフト４０（４１，４２）は、レンズ枠３０を光軸方向Ｌに案内するだけでなく、ケース１０とカバー２０を堅固に連結する役割もなす。
【００２２】
調整シャフト５０は、図１ないし図４に示すように、ケース１０及びカバー２０の軸受部１２，２２に支持される軸部５１、操作者が指先で掴むための把持部５２、当接部３４に対してカム作用をなすカム部５３、ケース１０の規制部１５に係合する被規制部５４等により形成されている。そして、調整シャフト５０は、光軸方向Ｌと垂直な方向に伸長する軸線Ｓ回りに回動自在となっている。
【００２３】
カム部５３は、図４（ｂ）に示すように、所定の直径をなす基礎円５３ａ及びカム作用を及ぼすカム面としてのリフト曲面５３ｂからなる平面カムとして形成されている。また、被規制部５４は、軸部５１の一部を円弧状に肉抜きして形成されている。
すなわち、調整シャフト５０が軸線Ｓ回りに回転することで、基礎円５３ａ及びリフト曲面５３ｂは当接面３４ａと線接触あるいは面接触しつつ、光軸方向Ｌにおいてカム作用を及ぼしてレンズ枠３０を光軸方向Ｌに移動させ、一端部５４ａがケース１０の規制部１５の一端部１５ａと係合することで、通常の撮影位置にレンズ枠３０が位置決めされ、他端部５４ｂがケース１０の規制部１５の他端部１５ｂと係合することで、近接撮影位置（マクロ撮影位置）にレンズ枠３０が位置決めされるようになっている。
【００２４】
バネ６０は、コイル状の引っ張りバネであり、その一端部６１がケース１０の掛止部１６に掛止され、その他端部６２がレンズ枠３０の掛止片３５に掛止されて張設された状態にあり、レンズ枠３０を後方に向けて付勢している。すなわち、バネ６０は、レンズ枠３０の当接部３４（当接面３４ａ）がカム部５３に常時接触した状態にあるように、付勢力を及ぼしている。
【００２５】
すなわち、調整シャフト５０が回転する際に、カム部５３と当接面３４ａとは、バネ６０の付勢力により常時接触した状態にあるため、円滑なカム作用が得られて、レンズ枠３０は光軸方向Ｌに確実に移動させられる。
特に、バネ６０は、当接部３４とカム部５３とが接触する近傍において付勢力を及ぼすように、当接部３４（両者３４，５３の接触領域）の近傍に配置されているため、レンズ枠３０に対して曲げ荷重あるいは捩り荷重として作用せず、ガイドシャフト４０によるレンズ枠３０の案内がより円滑に行われるようになっている。
【００２６】
上記の構成をなす調整シャフト５０、レンズ枠３０の当接面３４ａ、バネ６０等により、レンズ枠３０を光軸方向Ｌに移動させて、複数の撮影位置、すなわち、通常の撮影位置と近接撮影位置（マクロ撮影位置）との二つの撮影位置のうち、いずれかの撮影位置へ選択的に切替える切替機構が構成されている。
【００２７】
次に、このレンズ駆動装置の切替え操作について、図１、図５及び図６を参照しつつ説明する。
先ず、調整シャフト５０が、図１中のＲ１回りに回転させられて停止した状態にあるとき、図５に示すように、調整シャフト５０は、被規制部５４の一端部５４ａが規制部１５の一端部１５ａと係合して位置決めされている。
このとき、カム部５３は、基礎円５３ａが当接面３４ａと接触した状態にある。したがって、レンズ枠３０は後方に後退した（ＣＣＤ７０に近づいた）他の撮影位置としての通常の撮影位置に位置決めされている。これにより、通常の距離での被写体の撮影が可能となる
【００２８】
この状態から、操作者が指先で把持部５１を掴んで、調整シャフト５０を図１中のＲ２回りに回転させると、図６に示すように、被規制部５４の他端部５４ｂが規制部１５の他端部１５ｂに係合して回転が止まり位置決めされる。
このとき、カム部５３は、リフト曲面５３ｂが当接面３４ａと接触した状態にある。したがって、レンズ枠３０は前方に繰り出されて（ＣＣＤ７０から遠ざかって）近接撮影位置（マクロ撮影位置）に位置決めされている。これにより、近接距離での被写体の撮影（マクロ撮影）が可能となる。
【００２９】
このように、調整シャフト５０を正逆（Ｒ１方向又はＲ２方向）に回転させるだけで、二つの撮影位置に選択的に確実に切替えることができ、切替え操作が簡単に行える。また、切替え操作は、ケース１０及びカバー２０から露出した把持部５１を指先で掴んで、単に指先だけを動かして軸線Ｓ回りに回転させるだけで良いため、従来のように光軸回りにおいて手首全体を動かすためのスペース等が不要になり、それ故に、装置を小型化、小径化できる。
【００３０】
図７ないし図１０は、本発明に係るレンズ駆動装置の他の実施形態を示すものであり、図７は装置の内部を示す正面図、図８は調整シャフトを示す斜視図及び断面図、図９及び図１０はそれぞれの撮影位置での状態を示す装置の側断面図である。尚、この実施形態において、前述の実施形態と同一の構成については同一の符号を付してその説明を省略する。
【００３１】
この実施形態において、調整シャフト５０´は、図７ないし図１０に示すように、ケース１０及びカバー２０の軸受部１２，２２に支持される軸部５１´、操作者が指先で掴むための把持部５２´、当接部３４に対してカム作用をなすカム部５３´、ケース１０の規制部１５に係合する被規制部５４´等により形成されている。そして、調整シャフト５０´は、光軸方向Ｌと垂直な方向に伸長する軸線Ｓ回りに回動自在となっている。
【００３２】
カム部５３´は、図８（ｂ）に示すように、所定の直径をなす円形輪郭面５３ａ´とその一部をカットした平坦面５３ｂ´とからなる略Ｄ字形状の断面をもつように形成されている。すなわち、円形輪郭面５３ａ´がカム作用を及ぼすカム面として作用するようになっている。また、被規制部５４´は、軸部５１´の一部を円弧状に肉抜きして形成されている。
【００３３】
すなわち、調整シャフト５０´が軸線Ｓ回りに回転することで、平坦面５３ｂ´と円形輪郭面５３ａ´とは当接面３４ａと面接触あるいは線接触しつつ、光軸方向Ｌにおいてカム作用を及ぼしてレンズ枠３０を光軸方向Ｌに移動させ、一端部５４ａ´がケース１０の規制部１５の他端部１５ｂと係合することで、通常の撮影位置にレンズ枠３０が位置決めされ、他端部５４ｂ´がケース１０の規制部１５の一端部１５ａと係合することで、近接撮影位置（マクロ撮影位置）にレンズ枠３０が位置決めされるようになっている。
【００３４】
次に、このレンズ駆動装置の切替え操作について、図８ないし図１０を参照しつつ説明する。
先ず、調整シャフト５０´が、図８中のＲ２回りに回転させられて停止した状態にあるとき、図９に示すように、調整シャフト５０´は、被規制部５４´の一端部５４ａ´が規制部１５の他端部１５ｂと係合して位置決めされている。
このとき、カム部５３´は、平坦面５３ｂ´が当接面３４ａと接触した状態にある。したがって、レンズ枠３０は後方に後退した（ＣＣＤ７０に近づいた）他の撮影位置としての通常の撮影位置に位置決めされている。これにより、通常の距離での被写体の撮影が可能となる
【００３５】
この状態から、操作者が指先で把持部５１´を掴んで、調整シャフト５０´を図８中のＲ１回りに回転させると、図１０に示すように、被規制部５４´の他端部５４ｂ´が規制部１５の一端部１５ａに係合して回転が止まり位置決めされる。
このとき、カム部５３´は、円形輪郭面５３ａ´が当接面３４ａと接触した状態にある。したがって、レンズ枠３０は前方に繰り出されて（ＣＣＤ７０から遠ざかって）近接撮影位置（マクロ撮影位置）に位置決めされている。これにより、近接距離での被写体の撮影（マクロ撮影）が可能となる。
【００３６】
このように、調整シャフト５０´を正逆（Ｒ２方向又はＲ１方向）に回転させるだけで、二つの撮影位置に選択的に確実に切替えることができ、切替え操作が簡単に行える。また、切替え操作は、ケース１０及びカバー２０から露出した把持部５１´を指先で掴んで、単に指先だけを動かして軸線Ｓ回りに回転させるだけで良いため、従来のように光軸回りにおいて手首全体を動かすためのスペース等が不要になり、それ故に、装置を小型化、小径化できる。
【００３７】
上記実施形態においては、切替機構により切替えられる複数の撮影位置として、通常の撮影位置と近接撮影位置（マクロ撮影位置）の二つの撮影位置を採用し、この二つの撮影位置に選択的に切替えるものを示したが、これに限定されるものではなく、調整シャフトのカム部に３個以上のカムリフト位置を形成し、これに対応する３箇所以上の撮影位置を採用して選択的に切替えできるようにしてもよい。
【００３８】
上記実施形態においては、調整シャフト５０，５０´が回動する軸線Ｓとして、光軸Ｌと直角に交差する軸線を採用したが、これに限定されるものではなく、光軸方向Ｌと直角をなしかつ捩れの位置にある軸線を採用してもよく、又、直角から若干ずれた角度をなす軸線を採用してもよい。
【００３９】
上記実施形態においては、案内部材として、円柱状のガイドシャフト４０を示したが、これに限定されるものではなく、ケース１０に光軸方向Ｌに伸びる直線状の案内溝を形成し、この案内溝に嵌合される部分をレンズ枠に形成する構成を採用してもよい。
上記実施形態においては、固定枠として、輪郭が矩形形状をなすケース１０及びカバー２０を示したが、これに限定されるものではなく、全体を囲繞するものではなく単なる枠（フレーム）構造をなすものを採用してもよく、又、矩形に限らず円形あるいはその他の形状を採用してもよい。
【００４０】
【発明の効果】
以上述べたように、本発明のレンズ駆動装置によれば、レンズ枠を光軸方向に移動させて複数の撮影位置に切替える切替機構として、光軸方向と所定角度をなす軸線回りに回動可能に固定枠に支持されかつ光軸方向にカム作用をなすカム部をもつ調整シャフト、光軸方向においてカム部に当接するべくレンズ枠に形成された当接面、当接面をカム部に付勢するバネを含む構成を採用したことにより、調整シャフトを所定角度回転させるだけで、所定の結像面に対して焦点が合った複数の撮影位置のうちのいずれかの撮影位置に選択的に容易に切り替えることができる。また、調整シャフトが光軸方向に対して所定角度をなす軸線回りに回動可能なものであるため、その把持部を指先等で掴んで回転させる際の操作範囲は小さくて済み、装置を小型化、小径化できる。
さらに、調整シャフトに、固定枠の一部に係合してその回転範囲が規制される被規制部を設けることにより、調整シャフトを所定角度だけ回転させると、その被規制部が固定枠の一部に係合して回転が規制され、所定の撮影位置に高精度に位置決めされるため、切替操作をより簡単に行うことができる。
【図面の簡単な説明】
【図１】本発明に係るレンズ駆動装置の一実施形態を示す外観斜視図である。
【図２】本発明に係るレンズ駆動装置の一実施形態を示すものであり、（ａ）は側面図、（ｂ）は内部を示す正面図である。
【図３】本発明に係るレンズ駆動装置の一部分を示す分解斜視図である。
【図４】切替機構の一部をなす調整シャフトを示すものであり、（ａ）は斜視図、（ｂ）は（ａ）中のＥ１−Ｅ１にける断面図である。
【図５】レンズ枠が通常の撮影位置にある状態を示す側断面図である。
【図６】レンズ枠が近接撮影位置にある状態を示す側断面図である。
【図７】本発明に係るレンズ駆動装置の他の実施形態を示すものであり、装置の内部を示す正面図である。
【図８】切替機構の一部をなす調整シャフトの他の実施形態を示すものであり、（ａ）は斜視図、（ｂ）は（ａ）中のＥ２−Ｅ２にける断面図である。
【図９】レンズ枠が通常の撮影位置にある状態を示す側断面図である。
【図１０】レンズ枠が近接撮影位置にある状態を示す側断面図である。
【符号の説明】
１０  ケース（固定枠、筐体）
１１  壁部
１２  軸受部
１５  規制部（固定枠の一部）
１６  掛止部
２０  カバー（固定枠、筐体）
２１  開口
２２  軸受部
３０  レンズ枠
３１  円筒部
３２，３３  連結部
３４  当接部
３４ａ  当接面（平坦面、切替機構）
３５  掛止片
４０（４１，４２）  ガイドシャフト（案内部材）
５０，５０´  調整シャフト（切替機構）
５１，５１´  軸部
５２，５２´  把持部
５３，５３´  カム部（切替機構）
５３ａ  基礎円（平面カム）
５３ｂ  リフト曲面（カム面、平面カム）
５３ａ´  円形輪郭面（Ｄ字形状の断面、カム面）
５３ｂ´  平坦面（Ｄ字形状の断面）
５４，５４´  被規制部
６０  バネ（切替機構）
７０  ＣＣＤ（撮像素子）
Ｌ  光軸方向
Ｓ  光軸方向と所定の角度をなす軸線
Ｇ  レンズ
【図１】
2004252230.tif 000003
【図２】
2004252230.tif 000004
【図３】
2004252230.tif 000005
【図４】
2004252230.tif 000006
【図５】
2004252230.tif 000007
【図６】
2004252230.tif 000008
【図７】
2004252230.tif 000009
【図８】
2004252230.tif 000010
【図９】
2004252230.tif 000011
【図１０】
2004252230.tif 000012